(57)【要約】【課題】制御基板が短絡により故障することを防止することができ、さらに、容易に、かつ、短時間で制御基板を交換することができる制御装置を提供する。【解決手段】制御装置１は、ハウジング２２と、ハウジング２２内に配置される複数の制御基板２９，３０と、複数の制御基板２９，３０がそれぞれ取り付けられた複数の基板取付板４１Ａ，４１Ｂとを備える。複数の制御基板２９，３０は、直立して配置され、横並びに配列されている。【選択図】図２
2014110669.tif 000002
【特許請求の範囲】
【請求項１】
ハウジングと、
前記ハウジング内に配置される複数の制御基板と、
前記複数の制御基板がそれぞれ取り付けられた複数の基板取付板とを備え、
前記複数の制御基板は、直立して配置され、横並びに配列されていることを特徴とする制御装置。
【請求項２】
前記複数の制御基板は、互いに平行に配置されていることを特徴とする請求項１に記載の制御装置。
【請求項３】
前記複数の基板取付板は、前記ハウジングに着脱可能に固定されていることを特徴とする請求項１または２に記載の制御装置。
【請求項４】
前記複数の制御基板は、同一方向を向いて配置されていることを特徴とする請求項１乃至３のいずれか一項に記載の制御装置。
【請求項５】
前記複数の基板取付板を互いに連結して該複数の基板取付板を補強する補強部材をさらに備えたことを特徴とする請求項１乃至４のいずれか一項に記載の制御装置。
【請求項６】
少なくとも１つのインバータと、
前記インバータの下方に配置された少なくとも１つの直流リアクトルと、
前記直流リアクトルの下方に配置された少なくとも１つの漏電遮断器とをさらに備えたことを特徴とする請求項１乃至５のいずれか一項に記載の制御装置。
【請求項７】
前記インバータ、前記直流リアクトル、および前記漏電遮断器の各中心は、鉛直方向において重ならないように配列されていることを特徴とする請求項６に記載の制御装置。
【請求項８】
前記インバータは複数台であることを特徴とする請求項６または７に記載の制御装置。
【請求項９】
前記複数の制御基板に供給される電力を遮断する複数の電力遮断スイッチをさらに備えたことを特徴とする請求項１乃至８のいずれか一項に記載の制御装置。
【請求項１０】
前記ハウジングには、開閉可能な前面扉が設けられていることを特徴とする請求項１乃至９のいずれか一項に記載の制御装置。
【請求項１１】
ポンプおよびモータを有するポンプユニットと、
前記ポンプユニットの運転を制御する請求項１乃至１０のいずれか一項に記載の制御装置とを備えたことを特徴とする給水装置。
【発明の詳細な説明】
【技術分野】
【０００１】
本発明は、給水装置など電動装置の運転を制御する制御装置に係り、特に制御装置内部の制御基板の配置に関するものである。
【背景技術】
【０００２】
給水装置、照明装置、空調装置などに用いられる制御装置は、広く制御盤と呼ばれている。この制御盤の内部には、インバータなどの電気機器およびこの電気機器を制御する制御基板が配置されている。例えば、給水装置においては、複数のポンプを複数のインバータを用いて制御する場合があり、この場合にはこれらのインバータを制御する制御基板が制御盤内に設けられる。このような複数のポンプおよびインバータを備えた給水装置においては、あるポンプが故障（漏電、過電流、欠相など）した場合には、自動的に他のポンプに切り替え、断水を回避することができる。
【０００３】
しかしながら、インバータを制御する制御基板が何らかの不具合によって正常に動作しなくなった場合には、すべてのポンプが運転不能となってしまい、故障した制御基板を交換するまで断水状態が続くこととなる。
【０００４】
このような観点から、ポンプを駆動するすべてのインバータを複数の制御基板により制御してポンプを運転することもなされている。それぞれの制御基板は、圧力センサ、フロースイッチなどのポンプの運転制御に必要な物理量検出器に信号線を通じて接続されており、各制御基板はこれら物理量検出器の出力信号に基づいて動作する。このような制御システムによれば、１つの制御基板が故障しても他の制御基板によって給水を継続することが可能になる。しかしながら、この場合、少なくとも２つ以上の制御基板が必要になるため、これら制御基板の配置が問題となる。具体的な問題点を図１０を参照しつつ説明する。
【０００５】
図１０は、従来の制御盤（制御装置）１００を正面から見た模式図である。図１０に示すように、制御盤１００は、ハウジング１０１と、ハウジング１０１内に配置された漏電遮断器（Earth  Leakage  Circuit  Breaker：ＥＬＢ）１０２と、漏電遮断器１０２が接続されたインバータ１０４と、インバータ１０４を制御する制御部１０６とを備えている。インバータ１０４には、高調波電流を抑制する直流リアクトル（Direct  Current  Reactor：ＤＣＬ）１０７が接続されている。漏電遮断器１０２と、インバータ１０４と、直流リアクトル１０７とにより電気機器部１０５が構成されている。電気機器部１０５内には、制御部１０６に供給される電力を遮断する電力遮断スイッチ１０８が設けられている。商用電源などの外部電源１１４からの電力は小型遮断器（Miniature  Circuit  Breaker：ＭＣＢ）１０９を介して各種電気機器に供給される。
【０００６】
制御部１０６は、インバータ１０４を制御する主制御基板１１０と、主制御基板１１０をバックアップする予備制御基板１１１と、主制御基板１１０および予備制御基板１１１にそれぞれ電力を供給するための電源基板１１２，１１３とを備えている。主制御基板１１０は、ねじ１２０により基台１１５の上に固定されており、予備制御基板１１１はねじ１２０により基台１１６の上に固定されている。基台１１５，１１６は、ハウジング１０１の内壁面に固定されている。図１０では、主制御基板１１０は予備制御基板１１１の真上に配置されている。
【０００７】
主制御基板１１０が何らかの不具合により正常に動作しなくなると、予備制御基板１１１が主制御基板１１０をバックアップして、予備制御基板１１１がインバータ１０４を制御する。この場合、ねじ１２０を緩めて故障した主制御基板１１０を取り外し、主制御基板１１０を新たな制御基板に交換する必要があるが、ねじ１２０を誤って落下させてしまうおそれがある。予備制御基板１１１には電力が供給されているため、落下したねじ１２０が予備制御基板１１１に接触すると、予備制御基板１１１が短絡（ショート）し、故障するおそれがある。予備制御基板１１１が故障すると、ポンプが運転不能となり、断水してしまう。
【先行技術文献】
【特許文献】
【０００８】
【特許文献１】特開２００５−３５１２６７号公報
【特許文献２】特開２００９−１９７７９２号公報
【発明の概要】
【発明が解決しようとする課題】
【０００９】
本発明は、このような従来技術の問題点に鑑みてなされたもので、制御基板が短絡により故障することを防止することができ、さらに、容易に、かつ、短時間で制御基板を交換することができる制御装置を提供することを目的とする。
【課題を解決するための手段】
【００１０】
上記課題を解決するために、本発明の一態様は、ハウジングと、前記ハウジング内に配置される複数の制御基板と、前記複数の制御基板がそれぞれ取り付けられた複数の基板取付板とを備え、前記複数の制御基板は、直立して配置され、横並びに配列されていることを特徴とする制御装置である。
【００１１】
本発明の好ましい態様は、前記複数の制御基板は、互いに平行に配置されていることを特徴とする。
本発明の好ましい態様は、前記複数の基板取付板は、前記ハウジングに着脱可能に固定されていることを特徴とする。
本発明の好ましい態様は、前記複数の制御基板は、同一方向を向いて配置されていることを特徴とする。
本発明の好ましい態様は、前記複数の基板取付板を互いに連結して該複数の基板取付板を補強する補強部材をさらに備えたことを特徴とする。
【００１２】
本発明の好ましい態様は、少なくとも１つのインバータと、前記インバータの下方に配置された少なくとも１つの直流リアクトルと、前記直流リアクトルの下方に配置された少なくとも１つの漏電遮断器とをさらに備えたことを特徴とする。
本発明の好ましい態様は、前記インバータ、前記直流リアクトル、および前記漏電遮断器の各中心は、鉛直方向において重ならないように配列されていることを特徴とする。
本発明の好ましい態様は、前記インバータは複数台であることを特徴とする。
本発明の好ましい態様は、前記複数の制御基板に供給される電力を遮断する複数の電力遮断スイッチをさらに備えたことを特徴とする。
本発明の好ましい態様は、前記ハウジングには、開閉可能な前面扉が設けられていることを特徴とする。
【００１３】
本発明の他の態様は、ポンプおよびモータを有するポンプユニットと、前記ポンプユニットの運転を制御する上記制御装置とを備えたことを特徴とする給水装置である。
【発明の効果】
【００１４】
本発明によれば、複数の制御基板を横並びに配列することにより、万が一、締結具が落下しても、制御基板に接触することはない。このような配置により、制御基板が短絡により故障することを防止することができ、さらに制御基板の交換作業を安全に行うことができる。さらに、本発明によれば、制御基板は基板取付板に取り付けられる。したがって、制御基板が故障したときは、制御基板ごと基板取付板を取り外すことで、容易に、かつ、短時間で制御基板を交換することができる。
【図面の簡単な説明】
【００１５】
【図１】本発明の第１の実施形態に係る制御装置を備えた給水装置の全体構成を示す概略図である。
【図２】制御装置内部の配置を示す正面図である。
【図３】制御装置の側面図である。
【図４】制御部の拡大正面図である。
【図５】図４のＶ−Ｖ線断面図である。
【図６】一方の基板取付板と他方の基板取付板とを連結する補強部材を示す図である。
【図７】図６のVII−VII線断面図である。
【図８】本発明の第２の実施形態に係る制御装置を示す図である。
【図９】一方の基板取付板と他方の基板取付板とを連結する補強部材を示す図である。
【図１０】従来の制御装置を正面から見た模式図である。
【発明を実施するための形態】
【００１６】
以下、本発明の実施形態について、図１乃至図９を参照しつつ詳細に説明する。図１乃至図９において、同一または相当する構成要素には、同一の符号を付して重複した説明を省略する。図１は、本発明の第１の実施形態に係る制御装置１を備えた給水装置２の全体構成を示す概略図である。給水装置２は、ポンプおよびモータから構成されたポンプユニット３と、ポンプユニット３の運転を制御する制御装置１とを備えている。ポンプユニット３の吸込側には吸込管１１が接続されており、吸込管１１には吸込側圧力を測定する圧力計１２が設置されている。ポンプユニット３の吐出側には吐出管１３が接続されており、吐出管１３には吐出側圧力を測定する圧力計１４が設置されている。さらに、吐出管１３には、ポンプユニット３から流出する水の流量が所定の値にまで低下したことを検出するフロースイッチ１５が設置されている。なお、本実施形態は、図示しない水道本管に給水装置２が直接接続された直結給水方式について記しているが、水道本管からいったん図示しない受水槽に給水され、この受水槽に給水装置２が接続された受水槽方式にも本発明は同様に適用可能である。受水槽方式の場合は、吸込側圧力を測定する圧力計１２は使用されない。
【００１７】
図２は、制御装置１の内部の配置を示す正面図であり、図３は制御装置１の側面図である。制御装置１は、ポンプユニット３のモータに電力を供給するための電気機器部２０と、ポンプユニット３の運転を制御する制御部２１とを備えている。これら電気機器部２０および制御部２１は、ハウジング（筐体）２２内に収容されている。図３に示すように、ハウジング２２には、開閉可能な前面扉２３が設けられており、この前面扉２３を開くことで、作業員は制御装置１の内部を目視することができ、制御装置１の各構成要素にアクセスすることができる。電気機器部２０は、商用電源などの外部電源４から供給される電力を任意の電圧および任意の周波数の電力に変換する複数のインバータ２５と、高調波電流を抑制する複数の直流リアクトル２６と、複数の漏電遮断器２７とを備えている。このような制御装置１は、しばしば制御盤と呼ばれている。
【００１８】
制御部２１は、すべてのインバータ２５を制御する主制御基板として機能する制御基板２９と、制御基板２９をバックアップする予備制御基板として機能する制御基板３０とを備えている。図２では、横から見た制御基板２９，３０が描かれている。通常の運転では、制御基板２９がすべてのインバータ２５の運転を制御する。制御基板２９が故障すると、制御基板３０は制御基板２９をバックアップして、故障した制御基板２９に代わってすべてのインバータ２５の運転を制御基板３０が制御する。なお、制御基板２９と制御基板３０のどちらを優先させて使用するかは、任意に設定することができ、必要に応じて切り替えることもできる。
【００１９】
制御部２１は、さらに、制御基板２９および制御基板３０に電力を供給するための電源基板３１ａ，３１ｂと、電源基板３１ａ，３１ｂから制御基板２９，３０に供給される電力を遮断する電力遮断器３２と、圧力計１２，１４やフロースイッチ１５などの各種センサと制御基板２９，３０とを電気的に接続および遮断するリレー回路２８とを備えている。電力遮断器３２は、制御基板２９に供給される電力を遮断する電力遮断スイッチ３２ａと、制御基板３０に供給される電力を遮断する電力遮断スイッチ３２ｂと、リレー回路２８に供給される電力を遮断する電力遮断スイッチ３２ｃとを備えている。本実施形態では、電源基板３１ａ，３１ｂは制御基板２９，３０とは別に設けられているが、これら電源基板３１ａ，３１ｂをそれぞれ制御基板２９，３０と一体に設けてもよい。
【００２０】
制御基板２９および制御基板３０は、図示しないメモリに記憶されたプログラムに基づいて演算制御動作を行うＣＰＵ基板、圧力計１４の出力信号などの各種信号の入出力を行うＩ／Ｏ基板（入出力基板）などを備えている。制御基板２９および制御基板３０が備える基板（例えばＣＰＵ基板、Ｉ／Ｏ基板など）は、スペーサなどの介在部材（図示しない）を介して積み重ねられている。本実施形態において、制御基板２９および制御基板３０は同一の構成を有している。
【００２１】
本実施形態において、制御装置１内には２枚の制御基板２９，３０が設置され、３つの電力遮断スイッチ３２ａ，３２ｂ，３２ｃが設置され、インバータ２５、漏電遮断器２７、および直流リアクトル２６がそれぞれ３台ずつ設置されているが、設置数はこれに限定されるものではない。
【００２２】
インバータ２５は、外部電源４から制御装置１に供給された電力を任意の電圧および任意の周波数の電力に変換し、その電力をポンプユニット３に供給する。外部電源４からの電力は、小型遮断器３５を介して電気機器部２０および制御部２１にそれぞれ供給される。具体的には、外部電源４からの電力は、小型遮断器３５、ノイズフィルタ（図示しない）、漏電遮断器２７を介してインバータ２５に供給される。また、外部電源４からの電力は、小型遮断器３５および電力遮断器３２を介して電源基板３１ａ，３１ｂに供給され、電源基板３１ａ，３１ｂから制御基板２９および制御基板３０にそれぞれ電力が供給される。
【００２３】
制御装置１内のレイアウトについて、図２を参照しつつ説明する。図２に示すように、制御基板２９および制御基板３０は直立して配置され、かつ互いに平行に横並びに配列されている。すなわち、制御基板２９および制御基板３０はその電装面が水平方向を向き、互いに平行に配列されている。ここで、電装面とは、上述したＣＰＵ基板やＩ／Ｏ基板が配置された面である。リレー回路２８および電力遮断器３２は、制御基板２９および制御基板３０の上方、すなわち、ハウジング２２の上部に配置されている。また、水平方向とは、ハウジング２２の正面側から見た場合の水平方向であり、ハウジング２２の幅方向である。図２では、電源基板３１ａ、制御基板２９、電源基板３１ｂ、制御基板３０は、水平方向（すなわちハウジング２２の幅方向）に沿ってこの順に交互に配置されているが、必ずしも交互に配列されていなくてもよい。制御部２１全体の高さを低くするために、制御基板２９，３０および電源基板３１ａ，３１ｂは同じ高さに配置されていることが好ましい。
【００２４】
直流リアクトル２６は、インバータ２５と漏電遮断器２７との間に配置されている。すなわち、インバータ２５、直流リアクトル２６、および漏電遮断器２７は、ハウジング２２の上側から下側に向かって、この順に配列されている。さらに、インバータ２５、直流リアクトル２６、および漏電遮断器２７の中心は、ハウジング２２の高さ方向（すなわち鉛直方向）において、互いに重ならないように配置されている。かかる配置により電気配線をする際の作業性が良好になり、より安全に作業ができる。
【００２５】
制御基板２９，３０および電源基板３１ａ，３１ｂは水平方向に沿って配列されているために、制御部２１の幅が図１０に示す従来の制御部１０６よりも長くなっているが、直流リアクトル２６をインバータ２５と漏電遮断器２７との間に配置することで、電気機器部２０の幅は従来の電気機器部１０５よりも短くなっている。このような配置により、制御装置１全体の幅は図１０に示す従来の制御装置１００と同じである。したがって、制御装置１は、既存の給水装置の制御装置全体と交換することが可能である。さらに、制御基板２９，３０および電源基板３１ａ，３１ｂを水平方向に沿って（すなわち横並びに）配列することで、制御装置１の高さを従来の制御装置１００よりも低くすることができるため、制御装置１全体をコンパクトにすることができる。なお、図示はしないが、高調波対策としては、交流リアクトルをインバータ２５の入力側に取付けることもある。この場合も交流リアクトルを直流リアクトル２６と同様に配置することができる。
【００２６】
制御基板２９および制御基板３０の具体的な配置を図４および図５を参照しつつ説明する。図４は制御部２１の拡大正面図であり、図５は図４のＶ−Ｖ線断面図である。本実施形態において、制御基板２９および制御基板３０は同一の構成を有しており、制御基板２９および制御基板３０の設置構造は同一であるため、制御基板２９についてのみ説明する。なお、予備制御基板として機能する制御基板３０はインバータ２５の制御に必要な最低限の構成を有していれば、必ずしも制御基板２９と同一の構成を有する必要はない。
【００２７】
図４および図５に示すように、制御基板２９は、基板取付板４１Ａに固定されている。基板取付板４１Ａは、ハウジング２２の背面２２ａに固定される固定部４１ａと、制御基板２９が取り付けられる取付部４１ｂと、取付部４１ｂの前端部から突出する突出部４１ｃとから構成される。突出部４１ｃは固定部４１ａと平行である。取付部４１ｂはハウジング２２の背面２２ａに対して垂直に延び、固定部４１ａと突出部４１ｃとを接続している。
【００２８】
制御基板２９と基板取付板４１Ａの取付部４１ｂとの間には複数の（例えば４つの）スペーサ４２が配置されており、このスペーサ４２により制御基板２９と基板取付板４１Ａとの間には空間が形成されている。制御基板２９は、ねじ、ボルト、またはナットなどの固定具４０によりスペーサ４２に着脱可能に固定されている。制御基板２９は、基板取付板４１Ａの取付部４１ｂと平行に配置され、ハウジング２２の背面２２ａに対して垂直である。図４および図５に示す例では、制御基板２９の四隅が固定具４０によってスペーサ４２に固定される。このように、制御基板２９は固定具４０およびスペーサ４２を介して基板取付板４１Ａに取り付けられる。
【００２９】
制御基板２９および制御基板３０は同一方向を向いて配置されることが好ましい。制御基板２９と制御基板３０とは同一の構成を有しているため、制御基板２９および制御基板３０が同一方向を向いて配置されることで、両方の制御基板２９，３０の配線用端子が正面を向き、配線作業が容易になる。本実施形態では、図２に示すように、制御基板２９および制御基板３０は、その電装面が電気機器部２０を向いて配置されている。
【００３０】
基板取付板４１Ａの固定部４１ａは、ねじなどの締結具４６，４６によりハウジング２２の背面２２ａに固定されている。締結具４６の頭部４６ａと取付板４１Ａの固定部４１ａとの間には座金４５が配置されている。図４に示すように、２つの締結具４６，４６は基板取付板４１Ａの固定部４１ａの上部および下部に形成された貫通孔（図示しない）を貫通してハウジング２２の背面２２ａに固定されている。この締結具４６，４６を締め付けることで、基板取付板４１Ａはハウジング２２の背面２２ａに固定される。また、締結具４６，４６を緩めることで基板取付板４１Ａをハウジング２２から取り外すことができる。
【００３１】
制御基板２９が何らかの不具合（例えば、動作不良や経年劣化による部品破損など）により正常に動作しなくなると、バックアップ機能が作動して制御基板３０が制御基板２９をバックアップし、制御基板２９に代わって全てのインバータ２５の運転を制御する。その間、故障した制御基板２９を新たな制御基板に交換する必要がある。制御基板２９を取り外すときは、電力遮断スイッチ３２ａにより制御基板２９に供給される電力が遮断される。次いで、ハウジング２２の背面２２ａに固定されている２本の締結具４６，４６を緩め、制御基板２９とともに基板取付板４１Ａを制御装置１から取り出し、故障した制御基板２９を新たな制御基板に交換する。本実施形態においては、制御基板２９を基板取付板４１Ａごと制御装置１から取り出すことができるため、制御基板２９が取り付けられた基板取付板４１Ａを作業環境のよい場所まで持っていき、その場所で故障した制御基板２９を新たな制御基板に交換することができる。また、正常な制御基板が取り付けられた基板取付板を予め用意しておくことで、現場での制御基板の交換作業を短時間で完了することができる。これにより、容易に、かつ、短時間で制御基板を交換することができる。締結具４６，４６は、ハウジング２２の正面を向いて配置されているので、締結具４６，４６の取り外しおよび締結を容易に行うことができる。
【００３２】
さらに、本実施形態では、制御基板２９および制御基板３０は横並びに配列されているため、万が一、締結具４６が落下しても、締結具４６が制御基板３０に接触することはない。したがって、制御基板３０が短絡により故障することを防止することができる。
【００３３】
図６に示すように、制御基板２９が取り付けられた第１の基板取付板４１Ａと制御基板３０が取り付けられた第２の基板取付板４１Ｂとを連結する補強部材５０を設けることが好ましい。この補強部材５０は、基板取付板４１Ａと基板取付板４１Ｂとの間を延びる部材である。このような補強部材５０を設けることにより、基板取付板４１Ａおよび基板取付板４１Ｂの機械的強度が補強され、制御装置１の運搬時などでの制御基板２９，３０の破損を防止することができる。
【００３４】
補強部材５０は、基板取付板４１Ａと基板取付板４１Ｂとの間を延びる連結部５０ａと、基板取付板４１Ａ，４１Ｂの突出部４１ｃ，４１ｃに固定された固定部５０ｂとから構成される。固定部５０ｂはねじなどの締結具５１により基板取付板４１Ａ，４１Ｂの突出部４１ｃ，４１ｃに着脱可能に固定されている。このようにして、補強部材５０は基板取付板４１Ａと基板取付板４１Ｂとを連結し、基板取付板４１Ａ，４１Ｂを補強する。本実施形態では、２つの補強部材５０が、基板取付板４１Ａ，４１Ｂの突出部４１ｃ，４１ｃの上部および下部に取り付けられているが、補強部材５０を基板取付板４１Ａ，４１Ｂの突出部４１ｃ，４１ｃの上部または下部のどちらか一方に取り付けてもよい。
【００３５】
図７は、図６のVII−VII線断面図である。補強部材５０は、締結具５１により基板取付板４１Ａ，４１Ｂの突出部４１ｃ，４１ｃに着脱可能に固定されている。締結具５１の頭部５１ａと補強部材５０との間に座金５２が配置されている。基板取付板４１Ａを取り外すときは、補強部材５０を基板取付板４１Ａ，４１Ｂから取り外し、その後、ハウジング２２の背面２２ａに固定されている２本の締結具４６，４６を外して、制御基板２９とともに基板取付板４１Ａを制御装置１から取り出す。
【００３６】
図８は、本発明の第２の実施形態に係る制御装置１を示す図である。特に説明しない本実施形態の構成および動作は、上述した第１の実施形態と同様であるので、その重複する説明を省略する。本実施形態において、電気機器部２０には、インバータ２５、漏電遮断器２７、および直流リアクトル２６がそれぞれ６台ずつ設置されている。制御部２１は、全インバータ２５の運転を制御する主制御基板として機能する制御基板２９および制御基板６６と、これら制御基板２９および制御基板６６をそれぞれバックアップする予備制御基板としての制御基板３０および制御基板７１とを備えている。
【００３７】
制御基板２９はインバータ２５ａ，２５ｂ，２５ｃの運転を制御しており、制御基板６６はインバータ２５ｄ，２５ｅ，２５ｆの運転を制御している。制御基板２９および／または制御基板６６が正常に動作しなくなると、制御基板３０および制御基板７１は、制御基板２９および制御基板６６をそれぞれバックアップし、制御基板２９，６６に代わって全インバータ２５ａ〜２５ｆの運転を制御する。バックアップ運転では、制御基板３０がインバータ２５ａ，２５ｂ，２５ｃの運転を制御し、制御基板７１がインバータ２５ｄ，２５ｅ，２５ｆの運転を制御する。
【００３８】
図８に示すように、制御基板２９および制御基板６６は、第１の基板取付板４１Ａの取付部４１ｂに締結具４０およびスペーサ４２を介して固定されている。制御基板６６は制御基板２９の真上に配置されており、制御基板２９，６６は鉛直方向に沿って同一平面上に配列されている。同様に、制御基板３０および制御基板７１は、第２の基板取付板４１Ｂの取付部４１ｂに締結具４０およびスペーサ４２を介して固定されている。制御基板７１は制御基板３０の真上に配置されており、制御基板３０，７１は鉛直方向に沿って同一平面上に配列されている。
【００３９】
基板取付板４１Ａおよび基板取付板４１Ｂは、図５で示した形状と実質的に同一の形状を有している。すなわち、基板取付板４１Ａおよび基板取付板４１Ｂは、それぞれ、締結具４６，４６によりハウジング２２の背面２２ａに固定されている。制御基板２９，６６は基板取付板４１Ａの取付部４１ｂと平行に配置され、制御基板３０，７１は基板取付板４１Ｂの取付部４１ｂと平行に配置されている。
【００４０】
制御基板２９，６６と制御基板３０，７１とは、横並びに配列されており、かつ互いに平行である。すなわち、制御基板２９，６６の電装面および制御基板３０，７１の電装面は水平方向を向き、かつ互いに平行に配列されている。制御基板２９，６６および制御基板３０，７１は同一方向を向いて配置されることが好ましい。これにより、すべての制御基板の配線用端子が正面を向き、配線作業が容易になる。本実施形態では、図８に示すように、制御基板２９，６６および制御基板３０，７１は、その電装面が電気機器部２０を向いて配置されている。
【００４１】
本実施形態における基板取付板４１Ａには制御基板２９および制御基板６６が取り付けられているため、締結具４６，４６を外すだけで制御基板２９および制御基板６６を基板取付板４１Ａとともに制御装置１から取り出すことができる。これにより、制御基板の交換が容易になり、かつ、短時間で制御基板を交換することができる。
【００４２】
第１の実施形態では、第１の基板取付板４１Ａには１つの制御基板２９が取り付けられ、第２の基板取付板４１Ｂには１つの制御基板３０が取り付けられ、第２の実施形態では、第１の基板取付板４１Ａには２つの制御基板２９，６６が取り付けられ、第２の基板取付板４１Ｂには２つの制御基板３０，７１が取り付けられている。このように、インバータ２５の台数が増えるに従い、より多くの制御基板を基板取付板４１Ａ，４１Ｂにそれぞれ設けることができる。すなわち、第１の基板取付板４１Ａには、少なくとも１つの主制御基板が取り付けられ、第２の基板取付板４１Ｂには、少なくとも１つの予備制御基板が取り付けられる。
【００４３】
図９は、基板取付板４１Ａと基板取付板４１Ｂとを連結する補強部材５０を示す図である。本実施形態においても基板取付板４１Ａと基板取付板４１Ｂとを連結する補強部材５０を設けることが好ましい。このような補強部材５０を設けることにより、基板取付板４１Ａおよび基板取付板４１Ｂの機械的強度が補強され、制御装置１の運搬時などでの制御基板２９，６６，３０，７１の破損を防止することができる。
【００４４】
上述した実施形態は、給水装置に本発明の制御装置を提供した例であるが、本発明に係る制御装置（制御盤）は給水装置以外の電気装置、例えば、空調装置や照明装置にも適用することが可能である。
【００４５】
これまで本発明の実施形態について説明したが、本発明は上述の実施形態に限定されず、その技術的思想の範囲内において種々異なる形態にて実施されてよいことは言うまでもない。
【符号の説明】
【００４６】
１      制御装置（制御盤）
２      給水装置
３      ポンプユニット
４      外部電源
１１    吸込管
１２，１４      圧力計
１３    吐出管
１５    フロースイッチ
２０    電気機器部
２１    制御部
２２    ハウジング（筐体）
２３    前面扉
２５    インバータ
２６    直流リアクトル
２７    漏電遮断器
２８    リレー回路
２９    主制御基板
３０    予備制御基板
３１ａ，３１ｂ    電源基板
３２    電力遮断器
３２ａ，３２ｂ，３２ｃ    電力遮断スイッチ
３５，１０９    小型遮断器
４０    固定具
４１Ａ，４１Ｂ  基板取付板
４２    スペーサ
４６，５１    締結具
５０    補強部材
４５，５２    座金
６６    主制御基板
７１    予備制御基板
【図１】
2014110669.tif 000003
【図２】
2014110669.tif 000004
【図３】
2014110669.tif 000005
【図４】
2014110669.tif 000006
【図５】
2014110669.tif 000007
【図６】
2014110669.tif 000008
【図７】
2014110669.tif 000009
【図８】
2014110669.tif 000010
【図９】
2014110669.tif 000011
【図１０】
2014110669.tif 000012